(57)【特許請求の範囲】
【請求項１】
一方の取付部材(1) に固定される取付金具(2) と、
その取付金具(2) に貫通して軸線方向に移動自在で且つ、その軸線の回りに回転自在に支持され、先端部に係合部材(3) が突設固定された軸体(4) と、
その軸体(4) の後端部に、その軸体(4) に直交する軸線の回りに一端部が回動自在に軸支され且つ、その一端部の外周が前記取付金具(2) の後端に着座されて、その回動により軸部を取付金具(2) に対して軸体(4) の軸線方向に移動制御するカム面(5) を有するレバー(6) と、
先端に係止用のフック部(7a)を有する逆Ｌ字状に形成され、そのＬ字の曲がり部でレバー(6)の根元部に枢着され、レバー(6)を把持するとき同時に把持することができる程度に、その後端部がレバー(6)の把持部に沿って近接して配置されると共に、前記枢着の回りに回動することにより、前記フック部(7a)が取付金具(2)の係止孔(2d)に係脱自在に嵌入して、レバー(6) を取付金具(2) に係脱自在にロックするロック部材(7) と、を有するロック装置本体(8) と、
他方の取付部材(9) に固定され、前記係合部材(3) の回動により係脱自在に係止される係止部材(10)と、
を具備するロック装置。
【請求項２】
請求項１において、前記ロック装置本体(8) の軸体(4) の先端と前記取付金具(2) との間に、軸線方向に圧縮されたコイルスプリング(4a)が介装されて、常に前記レバー(6) の一端部が前記取付金具(2) に弾圧するように構成されたロック装置。
【請求項３】
一方の取付部材(1) に固定される取付金具(2) と、その取付金具(2) に貫通して軸線方向に移動自在で且つ、その軸線の回りに回転自在に支持され、先端部に係合部材(3) が突設固定された軸体(4) と、その軸体(4) の後端部に、その軸体(4) に直交する軸線の回りに一端部が回動自在に軸支され且つ、その一端部の外周が前記取付金具(2) の後端に着座されて、その回動により軸部を取付金具(2) に対して軸体(4) の軸線方向に移動制御するカム面(5) を有するレバー(6) と、その取付金具(2) とレバー(6) との間に設けられ、その回動によりレバー(6) を取付金具(2) に係脱自在にロックするロック部材(7) と、を有するロック装置本体(8) と、他方の取付部材(9) に固定され、前記係合部材(3) の回動により係脱自在に係止される係止部材(10)と、を具備するロック装置を用い、
第１の熱交換器(11)の外周に、その厚み方向に前記軸体(4) が配置されるように、前記ロック装置本体(8) が取り付けられ、
第２の熱交換器(12)の外周で、そのロック装置本体(8) の前記係合部材(3) に整合する位置に、前記係止部材(10)が取付られ、
第１の熱交換器(11)と第２の熱交換器(12)との、何れか一方の熱交換器の外周の厚み方向に位置決め用ピン(13)が突設され、
他方の熱交換器の外周であって、前記位置決めピン(13)に整合する位置にピン挿通金具(14)が配置された複数熱交換器の連結構造。
【発明の詳細な説明】
【０００１】
【発明の属する技術分野】
本発明は、建設機械用エンジン冷却用のラジエータと、オイルクーラの如く、２つの熱交換器を着脱自在に一体化できるロック装置およびそのロック装置を用いた複数熱交換器の連結構造に関する。
【０００２】
【従来の技術】
建設機械用エンジン冷却用のラジエータとオイルクーラとは、通常、エンジンルームの前端に並列して配置される。そして両者は、適宜なブラケットを介し、ボルトで一体的に締結固定されることが多い。
【０００３】
【発明が解決しようとする課題】
建設機械用のオイルクーラとラジエータの如く、両者をボルトを利用して締結固定したものにおいて、そのメンテナンス等のためにラジエータとオイルクーラとを分離する必要が生じる。その場合、比較的狭小な場所で両者間のボルトを外し、２つの熱交換器を分離する作業は容易ではない。
そこで、両者の接続を容易に行い得ると共に、その分離も容易であり且つ、取付け状態では両者間の連結を確実に保持できるロック装置およびそのロック装置を用いた複数熱交換器の連結構造を提供することを課題とする。
【０００４】
【課題を解決するための手段】
請求項１に記載の本発明は、一方の取付部材(1) に固定される取付金具(2) と、
その取付金具(2) に貫通して軸線方向に移動自在で且つ、その軸線の回りに回転自在に支持され、先端部に係合部材(3) が突設固定された軸体(4) と、
その軸体(4) の後端部に、その軸体(4) に直交する軸線の回りに一端部が回動自在に軸支され且つ、その一端部の外周が前記取付金具(2) の後端に着座されて、その回動により軸部を取付金具(2) に対して軸体(4) の軸線方向に移動制御するカム面(5) を有するレバー(6) と、
先端に係止用のフック部(7a)を有する逆Ｌ字状に形成され、そのＬ字の曲がり部でレバー(6)の根元部に枢着され、レバー(6)を把持するとき同時に把持することができる程度に、その後端部がレバー(6)の把持部に沿って近接して配置されると共に、前記枢着の回りに回動することにより、前記フック部(7a)が取付金具(2)の係止孔(2d)に係脱自在に嵌入して、レバー(6) を取付金具(2) に係脱自在にロックするロック部材(7) と、を有するロック装置本体(8) と、
他方の取付部材(9) に固定され、前記係合部材(3) の回動により係脱自在に係止される係止部材(10)と、
を具備するロック装置である。
【０００５】
請求項２に記載の本発明は、請求項１において、
前記ロック装置本体(8) の軸体(4) の先端と前記取付金具(2) との間に、軸線方向に圧縮されたコイルスプリング(4a)が介装されて、常に前記レバー(6) の一端部が前記取付金具(2) に弾圧するように構成されたロック装置である。
【０００６】
請求項３に記載の本発明は、一方の取付部材(1) に固定される取付金具(2) と、その取付金具(2) に貫通して軸線方向に移動自在で且つ、その軸線の回りに回転自在に支持され、先端部に係合部材(3) が突設固定された軸体(4) と、その軸体(4) の後端部に、その軸体(4) に直交する軸線の回りに一端部が回動自在に軸支され且つ、その一端部の外周が前記取付金具(2) の後端に着座されて、その回動により軸部を取付金具(2) に対して軸体(4) の軸線方向に移動制御するカム面(5) を有するレバー(6) と、その取付金具(2) とレバー(6) との間に設けられ、その回動によりレバー(6) を取付金具(2) に係脱自在にロックするロック部材(7) と、を有するロック装置本体(8) と、他方の取付部材(9) に固定され、前記係合部材(3) の回動により係脱自在に係止される係止部材(10)と、を具備するロック装置を用い、
第１の熱交換器(11)の外周に、その厚み方向に前記軸体(4) が配置されるように、前記ロック装置本体(8) が取り付けられ、
第２の熱交換器(12)の外周で、そのロック装置本体(8) の前記係合部材(3) に整合する位置に、前記係止部材(10)が取付られ、
第１の熱交換器(11)と第２の熱交換器(12)との、何れか一方の熱交換器の外周の厚み方向に位置決め用ピン(13)が突設され、
他方の熱交換器の外周であって、前記位置決めピン(13)に整合する位置にピン挿通金具(14)が配置された複数熱交換器の連結構造である。
【０００７】
【発明の実施の形態】
次に、図面に基づいて本発明の実施の形態につき説明する。
図１は本発明のロック装置を用いた複数熱交換器の連結構造を示す説明図であり、図２はその一方の熱交換器11のサイドタンク17に取付けられる第１ブラケット19及び取付部材１の説明図、図３は同複数熱交換器の連結構造の正面図、図４は同平面図、図５は本発明のロック装置のロック状態を示す一部破断正面図、図６は同開放状態を示す一部破断正面図、図７は同ロック装置本体８のロック状態を示し（Ａ）は正面図，（Ｂ）は側面図，（Ｃ）は底面図，（Ｄ）は一部部品を除去した縦断面図である。
【０００８】
このロック装置は、図１に示す如く、ロック装置本体８とそれに係合される逆Ｌ字状の係止部材10とを有する。ロック装置本体８は、取付金具２と軸体４と係合部材３とレバー６とロック部材７とを有する。
取付金具２は、図５に示す如く厚肉筒部２ａと薄肉筒部２ｂとそれらの間に固定されたプレート２ｃとからなる。厚肉筒部２ａは、その外周面に断面Ｌ字状の係止孔２ｄが形成されている。
そして、その取付金具２に軸体４が挿通される。この軸体４は先端部が段付状に拡大し、その段差部にコイルスプリング４ａの着座面が設けられて、そのコイルスプリング４ａの一端が着座すると共に、他端が薄肉筒部２ｂ内でプレート２ｃに着座する。
【０００９】
軸体４の先端には、小さなプレート片からなる係合部材３の一端部が固定されている。軸体４の後端は、レバー６の端部６ａがピン30を介して軸支されている。この端部６ａは図７（Ｂ）の如くＵ字状に形成され、軸体４の後端部がそこに挿入されて、両者間にピン30が挿通されたものである。そのレバー６の端部６ａの外周は、そのコーナが曲面をなすカム面５を形成し、その回動によりピン30と取付金具２の端面との距離が図５の状態よりも図６の状態の方が短くなるように方形に形成されている。即ち、図５の状態から図６の状態にすると、軸体４はコイルスプリング４ａの弾発力によって右方に移動する。それにより、係合部材３はプレート２ｃからより離れるようになる。
【００１０】
次に、レバー６の根元部にはピン31を介し逆Ｌ字状のロック部材７が軸支されている。このロック部材７の先端にはフック部７ａが突設されている。そして、ロック部材７の回動によりフック部７ａが厚肉筒部２ａの係止孔２ｄに係脱自在に係合する。また、ロック部材７には捩じりバネ32が設けられ、その付勢力により図５の状態を維持する。そしてロック部材７のフック部７ａが取付金具２の係止孔２ｄに嵌入し、その状態ではレバー６が不用意に軸体４の回りに回転移動することがない。
【００１１】
次に、ロック装置本体８の係合部材３に係止される係止部材10は、図１に示す如く、逆Ｌ字状に形成されている。そしてロック装置本体８がこの例では第２ブラケット20，第１ブラケット19を介して第１の熱交換器11のサイドタンク17に固定され、係止部材10が第２の熱交換器12の取付部材９に固定されている。
ロック装置本体８が固定されるサイドタンク17には、図２に示す如く、その外表面に一対の第１ブラケット19がろう付け固定されている。第１ブラケット19はその湾曲面がサイドタンク17に整合する断面ての字状に形成され、その突出端部が第２ブラケット20の長孔33に夫々挿通され、両者に設けられたビス孔34に図１の如くビス23が挿入され、それらが締結固定される。そして、その第２ブラケット20に取付金具２のプレート２ｃが同図の如くビス止め固定される。
【００１２】
また、係止部材10は第２の熱交換器12の取付部材９にろう付け等の手段により固定される。その取付部材９には上下に離間して一対の補助金具21がろう付け固定され、さらにそれに補助金具22がビス止めされる。補助金具22には、位置決めピン13が突設されている。そして、この位置決めピン13に整合するピン孔24を有するピン挿通金具14が第１の熱交換器11のサイドタンク17にろう付け固定されている。このピン挿通金具14も、湾曲面がサイドタンク17の外周に整合する断面ての字状に形成されている。
このようにして第１の熱交換器11には、ロック装置本体８と一対のピン挿通金具14とが固定され、第２の熱交換器12には位置決めピン13を有する一対の補助金具22および係止部材10が固定される。
【００１３】
【連結方法】
このようにしてなる第２の熱交換器12は、建設機械のエンジンルームに図示しないサポート材を介してその上下端が固定される。そして、この第２の熱交換器12に第１の熱交換器11が着脱自在に連結される。
その連結方法は、次の通りである。先ず、ロック部材７を手前側に回動し、そのフック部７ａを取付金具２の係止孔２ｄから外し、レバー６を９０°回動して係合部材３の長手方向をプレート２ｃに直交させる。その状態で、第１の熱交換器11を第２の熱交換器12に接近させ、ピン挿通金具14のピン孔24を補助金具22の位置決めピン13に挿通する。すると、第１の熱交換器11の重量は全て第２の熱交換器12の位置決めピン13に支持される。
【００１４】
次いで、レバー６を回動しその係合部材３を係止部材10の先端部に係止させる。すると、ロック部材７のフック部７ａは取付金具２の係止孔２ｄに嵌入し、そのロック状態を保持する。なお、図１においては、第１の熱交換器11及び第２の熱交換器12の右側のみのロック装置本体８，係止部材10及び位置決めピン13等を示したが、左側も対称のそれらが同様に取り付けられている。
次に、第１の熱交換器11を第２の熱交換器12から取り外すには、取付け工程と逆の手順により行えばよい。即ち、先ずロック部材７を回動しそのロック状態をとき、レバー６を９０°回転させる。それにより、係合部材３が係止部材10から離脱する。そこで、第１の熱交換器11を厚み方向に平行移動して第２の熱交換器12から離反する。それにより、そのピン挿通金具14のピン孔24が位置決めピン13から分離し、両熱交換器11，12は容易に分離される。
【００１５】
【発明の作用・効果】
請求項１に記載の本発明は、軸体４が取付金具２に貫通して軸線方向に移動自在で且つ、その軸線回りに回転自在に支持され、その後端部にカム面５を有するレバー６が軸支されているから、それを係合部材３の軸線方向に回動することにより、ロック装置本体８の係合部材３と係止部材10との接触抵抗を小さくして容易に回動し、ロックを外すことができる。
また、そのレバー６と取付金具２との間にはロック部材７が設けられているので、不用意にロックが外れることを防止し確実にロック状態を保持することが可能となる。
そのロック部材７は、先端に係止用のフック部7aを有する逆Ｌ字状に形成され、そのＬ字の曲がり部でレバー６の根元部に枢着され、レバー６を把持するとき同時に把持することができる程度に、その後端部がレバー６の把持部に沿って近接して配置されると共に、前記枢着の回りに回動することにより、前記フック部7aが取付金具２の係止孔2dに係脱自在に嵌入するから、ロック部材７とレバー６とを同時に握ることができる。それにより、一挙動でロックを外すと共に、レバー６を回動することができる。そのため作業性のよいロック装置を提供できる。
【００１６】
請求項２に記載の本発明によれば、軸体４と取付金具２との間にコイルスプリング４ａが介装され、それによってレバー６の一端部が取付金具２に弾圧するように構成されたから、係合部材３の軸方向移動を円滑に行い操作性の良いロック装置となり得る。
【００１７】
請求項３に記載の本発明によれば、ロック装置を用い、第１の熱交換器11と第２の熱交換器12との間を容易に且つ確実に連結し、その連結状態を保持することができる。特に、第１の熱交換器11と第２の熱交換器12との何れか一方の熱交換器の外周の厚み方向に位置決めピン13が突設され、他方の熱交換器の外周にピン挿通金具14が配置されているため、それによって熱交換器の重力荷重を支持し両者の位置決めを正確に保持した状態でロック装置を作動させることができ、安定性が良く且つ取扱い易い複数熱交換器の連結構造を提供できる。
【図面の簡単な説明】
【図１】本発明のロック装置を用いた複数熱交換器の連結構造を示す説明図。
【図２】同ロック装置を用いた複数熱交換器の連結構造における一方の熱交換器11のサイドタンク17に取付けられる第１ブラケット19及び取付部材１の分解説明図。
【図３】同複数熱交換器の連結構造の正面図。
【図４】同複数熱交換器の連結構造の平面図。
【図５】本発明のロック装置のロック状態を示す一部破断正面図。
【図６】同ロック装置の開放状態を示す一部破断正面図。
【図７】同ロック装置のロック状態を示し、（Ａ）は正面図，（Ｂ）は側面図，（Ｃ）は底面図，（Ｄ）は一部部品を除去した縦断面図。
【符号の説明】
１  取付部材
２  取付金具
２ａ  厚肉筒部
２ｂ  薄肉筒部
２ｃ  プレート
２ｄ  係止孔
２ｅ  孔
３  係合部材
４  軸体
４ａ  コイルスプリング
５  カム面
６  レバー
６ａ  端部
７  ロック部材
７ａ  フック部
８  ロック装置本体
９  取付部材
10  係止部材
11，12  熱交換器
13  位置決めピン
14  ピン挿通金具
15  上部タンク
16  下部タンク
17  サイドタンク
18  サポート材
19  第１ブラケット
20  第２ブラケット
21  補助金具
22  補助金具
23  ビス
24  ピン孔
26  ファンシュラウド
30  ピン
31  ピン
32  捩じりバネ
33  長孔
34  ビス孔
【図１】
0004704582.tif 000002
【図２】
0004704582.tif 000003
【図３】
0004704582.tif 000004
【図４】
0004704582.tif 000005
【図５】
0004704582.tif 000006
【図６】
0004704582.tif 000007
【図７】
0004704582.tif 000008